(57)【要約】【課題】動作モードによって最適な制御が行なわれる表示装置を提供する。【解決手段】本発明の表示装置（１０）は、動作モードに応じて、該動作モードに対応する画像を表示する表示手段（１４）と、操作に応じて操作信号を出力する操作手段（１６）と、前記表示手段（１４）に前記画像を第１の表示輝度で表示しているときに、所定時間継続して前記操作手段（１６）から前記操作信号が出力されない場合には、前記表示手段（１４）の表示輝度を前記第１の表示輝度より低い第２の表示輝度に変更する制御手段（２０）と、を備え、前記制御手段（２０）は、前記表示輝度を変更する際の変更制御内容を、前記動作モードごとに異ならせていることを特徴とする。【選択図】図４
2010263355.tif 000002
【特許請求の範囲】
【請求項１】
動作モードに応じて、該動作モードに対応する画像を表示する表示手段と、
操作に応じて操作信号を出力する操作手段と、
前記表示手段に前記画像を第１の表示輝度で表示しているときに、所定時間継続して前記操作手段から前記操作信号が出力されない場合には、前記表示手段の表示輝度を前記第１の表示輝度より低い第２の表示輝度に変更する制御手段と、を備え、
前記制御手段は、前記表示輝度を変更する際の変更制御内容を、前記動作モードごとに異ならせている、
ことを特徴とする表示装置。
【請求項２】
請求項１に記載の表示装置であって、
前記変更制御内容は、前記所定時間の長さを含むこと、
を特徴とする表示装置。
【請求項３】
請求項２に記載の表示装置であって、
前記動作モードは、撮像した画像を表示する画像表示モード、前記表示装置の動作設定の変更操作を行うために表示されるメニュー表示モード及び前記表示装置が現在設定されている動作設定に関する情報を表示する情報表示モードのうちの少なくとも２つを含み、
前記制御手段は、それらの表示モード中、前記画像表示モードにおける前記所定時間を一番長く及び／又は前記情報表示モードにおける前記所定時間を一番短くすること、
を特徴とする表示装置。
【請求項４】
請求項２または３に記載の表示装置であって、
前記動作モードは、撮像した画像を表示する画像表示モードを含み、
前記画像表示モードでは動画再生が可能であり、
前記制御手段は、前記画像表示モードで且つ前記動画再生中における前記所定時間の計時を、該動画再生の終了時点から開始すること、
を特徴とする表示装置。
【請求項５】
請求項２から４のいずれか１項に記載の表示装置であって、
前記動作モードは、撮像した画像を表示する画像表示モードを含み、
前記画像表示モードは、撮影済みの静止画像を連続して再生可能なスライドショー表示が可能であり、
前記制御手段は、前記画像表示モードで且つ前記スライドショー表示中における前記所定時間の計時を、該スライドショー表示の終了時点から開始すること、
を特徴とする表示装置。
【請求項６】
請求項１から５のいずれか１項に記載の表示装置であって、
前記変更制御内容は、前記表示輝度が前記第１の表示輝度から低下し始めてから前記第２の表示輝度へ至るまでの変更速度を含むこと、
を特徴とする表示装置。
【請求項７】
請求項６に記載の表示装置であって、
前記動作モードは、撮像した画像を表示する画像表示モード、前記表示装置の動作設定の変更操作を行うために表示されるメニュー表示モード及び前記表示装置が現在設定されている動作設定に関する情報を表示する情報表示モードのうちの少なくとも２つを含み、
前記制御部は、それらの表示モード中、前記画像表示モードにおける前記変更速度を一番遅く及び／又は前記情報表示モードにおける前記変更速度を一番速くすること、
を特徴とする表示装置。
【請求項８】
請求項１〜７のいずれか１項に記載の表示装置であって、
前記変更制御内容を任意に設定可能な操作部を備えること、
を特徴とする表示装置。
【発明の詳細な説明】
【技術分野】
【０００１】
本発明は、再生画像や操作メニュー等の各種メニューを表示可能な表示装置に関するものである。
【背景技術】
【０００２】
従来、撮像した画像を表示する画像表示モードや、表示装置の動作設定の変更操作を行うために表示されるメニュー表示モード等が選択可能で、選択したモードに対応する表示を行う表示装置が知られている。このような表示装置において、何らかの表示を行っている状態で無操作状態が所定期間続いたときに、表示の輝度を低減させる輝度の変更制御が行なわれている（例えば、特許文献１参照）。
【先行技術文献】
【特許文献】
【０００３】
【特許文献１】特許第２８１８９１５号公報
【発明の概要】
【発明が解決しようとする課題】
【０００４】
しかし、上記従来技術において表示の輝度の変更制御は、選択されている動作モード（表示内容）によらず一律な制御であり、動作モードによっては最適な制御ではなかった。
【０００５】
本発明の課題は、動作モード（表示内容）によって最適な制御が行なわれる表示装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、動作モードに応じて、該動作モードに対応する画像を表示する表示手段（１４）と、操作に応じて操作信号を出力する操作手段（１６）と、前記表示手段（１４）に前記画像を第１の表示輝度で表示しているときに、所定時間継続して前記操作手段（１６）から前記操作信号が出力されない場合には、前記表示手段（１４）の表示輝度を前記第１の表示輝度より低い第２の表示輝度に変更する制御手段（２０）と、を備え、前記制御手段（２０）は、前記表示輝度を変更する際の変更制御内容を、前記動作モードごとに異ならせていることを特徴とする表示装置（１０）である。
請求項２に記載の発明は、請求項１に記載の表示装置（１０）であって、前記変更制御内容は、前記所定時間の長さを含むこと、を特徴とする表示装置（１０）である。
請求項３に記載の発明は、請求項２に記載の表示装置（１０）であって、前記動作モードは、撮像した画像を表示する画像表示モード、前記表示装置（１０）の動作設定の変更操作を行うために表示されるメニュー表示モード及び前記表示装置（１０）が現在設定されている動作設定に関する情報を表示する情報表示モードのうちの少なくとも２つを含み、前記制御手段（２０）は、それらの表示モード中、前記画像表示モードにおける前記所定時間を一番長く及び／又は前記情報表示モードにおける前記所定時間を一番短くすること、を特徴とする表示装置（１０）である。
請求項４に記載の発明は、請求項２または３に記載の表示装置（１０）であって、前記動作モードは、撮像した画像を表示する画像表示モードを含み、前記画像表示モードでは動画再生が可能であり、前記制御手段（２０）は、前記画像表示モードで且つ前記動画再生中における前記所定時間の計時を、該動画再生の終了時点から開始すること、を特徴とする表示装置（１０）である。
請求項５に記載の発明は、請求項２から４のいずれか１項に記載の表示装置（１０）であって、前記動作モードは、撮像した画像を表示する画像表示モードを含み、前記画像表示モードは、撮影済みの静止画像を連続して再生可能なスライドショー表示が可能であり、前記制御手段（２０）は、前記画像表示モードで且つ前記スライドショー表示中における前記所定時間の計時を、該スライドショー表示の終了時点から開始すること、を特徴とする表示装置（１０）である。
請求項６に記載の発明は、請求項１から５のいずれか１項に記載の表示装置（１０）であって、前記変更制御内容は、前記表示輝度が前記第１の表示輝度から低下し始めてから前記第２の表示輝度へ至るまでの変更速度を含むこと、を特徴とする表示装置（１０）である。
請求項７に記載の発明は、請求項６に記載の表示装置（１０）であって、前記動作モードは、撮像した画像を表示する画像表示モード、前記表示装置（１０）の動作設定の変更操作を行うために表示されるメニュー表示モード及び前記表示装置（１０）が現在設定されている動作設定に関する情報を表示する情報表示モードのうちの少なくとも２つを含み、前記制御部は、それらの表示モード中、前記画像表示モードにおける前記変更速度を一番遅く及び／又は前記情報表示モードにおける前記変更速度を一番速くすること、を特徴とする表示装置（１０）である。
請求項８に記載の発明は、請求項１〜７のいずれか１項に記載の表示装置（１０）であって、前記変更制御内容を任意に設定可能な操作部（１６）を備えること、を特徴とする表示装置（１０）である。
なお、符号を付して説明した構成は、適宜改良してもよく、また、少なくとも一部を他の構成物に代替してもよい。
【発明の効果】
【０００８】
本発明によれば、動作モードによって最適な制御が行なわれる表示装置を提供することができる。
【図面の簡単な説明】
【０００９】
【図１】本発明の一実施形態である電子カメラのブロック図である。
【図２】表示部における表示モードの代表例を示す図である。
【図３】制御部による表示部の低輝度待機制御のフローチャートである。
【図４】制御部による低輝度待機制御における輝度変化を示すグラフである。
【図５】変形形態の低輝度待機制御における輝度変化を示すグラフである。
【発明を実施するための形態】
【００１０】
以下、図面等を参照して、本発明の実施形態について説明する。
図１は、本発明における表示装置の一実施形態である電子カメラ１０のブロック図である。本実施形態における電子カメラ１０は、静止画のみならず動画も撮影し得るものである。
電子カメラ１０は、撮影レンズ１１と、撮像素子１２と、画像処理回路１３と、表示部１４と、メモリ１５と、操作部１６と、制御部２０とを備える。
【００１１】
撮影レンズ１１は、被写体光を撮像素子１２の撮像画面に結像させる光学系である。この光学系の焦点位置を調節するためのフォーカスレンズを含む複数のレンズ群を備えている。図１では、一枚のレンズで略示してある。
【００１２】
撮像素子１２は、撮影レンズ１１によって結像した被写体光像を、電気信号に変換する。撮像素子１２は、たとえば、ＣＣＤ等によって構成される。
撮影レンズ１１と撮像素子１２との間には、図示しないが露光時間を制御するシャッターが設けられている。
【００１３】
画像処理回路１３は、撮像素子１２によって光電変換されたアナログ撮像信号をディジタル信号に変換した上で、所定の画像処理を施す。また、画像処理回路１３は、画像処理後の画像データから映像信号を生成して表示部１４へ送出する。さらに、画像処理回路１３は、画像データを所定のデータ形式にフォーマット変換する。
【００１４】
表示部１４は、透過型の液晶パネル１４Ａと、液晶パネル１４Ａを背後から透過照明するバックライト１４Ｂと、バックライト１４Ｂの点灯、消灯および点灯時の輝度を制御する輝度制御回路１４Ｃと、によって構成されている。表示部１４は、画像処理回路１３から入力される映像信号による画像や、当該電子カメラ１０の各種設定の状態等を表示する。表示部１４におけるこれらの表示については、後に詳述する。
【００１５】
メモリ１５は、着脱可能なメモリーカード等によって構成される。メモリ１５は、撮影時においては、画像処理回路１３でフォーマット変換された画像データを記録する。また、再生時においては、このメモリ１５に記録されている画像データが読み出されて、画像処理回路１３へ送られる。その際、画像処理回路１３は、再生画像を表示するための映像信号を生成する。
【００１６】
操作部１６は、電源スイッチ（メインスイッチ）、各種設定スイッチ、レリーズスイッチ等を含み、各操作に応じた操作信号を発生して制御部２０へ入力する。
【００１７】
制御部２０は、ＣＰＵ等によって構成されている。制御部２０は、操作部１６から入力される操作信号に応じて、当該電子カメラ１０の各部へ指令を出力し、電子カメラ１０の動作を統括的に制御する。また、制御部２０は、図示しないが、後述する低輝度待機制御を含む制御プログラムを記憶した記憶装置と、撮影画像を一旦格納するバッファメモリ等を備えている。
【００１８】
電子カメラ１０は、制御部２０によって制御され、撮影レンズ１１によって結像された光像を、撮像素子１２が電気信号に変換し、画像処理回路１３が画像処理を行い、表示部１４に画像として表示する。また、操作部１６におけるレリーズスイッチの操作により、撮像素子１２による撮像画像をメモリ１５に記憶（すなわち撮影）する。
【００１９】
ここで、制御部２０は、表示部１４における表示モード（表示画像／表示内容）に応じて、輝度制御回路１４Ｃを制御して、表示部１４の低輝度待機制御を行う。
この制御部２０による表示部１４の低輝度待機制御について、前述の図１に加えて図２〜図４を参照して説明する。
図２は、表示部１４における表示モード（表示内容）の代表例を示す図である。図３は、制御部２０による表示部１４の低輝度待機制御のフローチャートである。図４は、制御部２０による低輝度待機制御における輝度変化を示すグラフである。
【００２０】
表示部１４の低輝度待機制御は、表示部１４における表示開始から操作部１６に対する使用者の操作等がない状態（無操作状態）で所定の時間経過したときに、表示部１４の輝度（バックライト１４Ｂの輝度）を、所定の通常輝度から、その所定の通常輝度より暗い予め定められた輝度（低輝度）に変化させるものである。その際、低輝度待機に入るまでの維持時間は、表示部１４における表示モード（表示画像）の種別によって異なる。
【００２１】
表示部１４における表示モードには、図２（ａ）に示す設定情報表示モード、図２（ｂ）に示す設定メニューおよび設定操作表示モード、図２（ｃ）に示す画像表示モードがある。
【００２２】
図２（ａ）に示す設定情報表示モードは、その時点における当該電子カメラ１０の設定情報、すなわち、オートまたはマニュアル等の撮影モードの設定状況、シャッター速度や絞り値等の撮影条件、撮影可能枚数、バッテリー残量等を表示する。
【００２３】
図２（ｂ）に示す設定メニューおよび設定操作表示モードは、当該電子カメラ１０における各種の設定、すなわち、撮影モード、記録画質、ホワイトバランス、感度等の設定を切替操作するための画面を表示する。設定切替操作は、操作部１６を操作して、設定メニューで設定項目を選択し、階層化された各設定画面を呼び出して行う。
【００２４】
図２（ｃ）に示す画像表示モードは、撮影されてメモリ１５に記録されている画像データの再生画像を表示する。この画像再生には、単独の静止画再生、メモリ１５内に記録された静止画を所定時間ずつ再生表示する静止画スライドショー再生、動画再生、の３種類がある。なお、撮像素子１２がその時点において撮像し逐次出力しているスルー画像、撮影された直後の静止画像等の画像については、本実施形態においては、扱いとして図２（ｂ）に示した設定操作表示モードと同等の低輝度処理（後述）を行うものとする。なぜなら、スルー画像や、撮影後の確認用画像は、ある程度の長い時間表示内容の確認のために、使用者に視認される可能性が高いためである。
【００２５】
つぎに、図３に示すフローチャートに従って、制御部２０による表示部１４の低輝度待機制御を説明する。
制御部２０は、操作部１６の操作によって表示が指令されると（Ｓ０１）、表示モードの種別を識別する（Ｓ０２）。
【００２６】
さらに、表示モードが、低輝度待機を行う種別であるか否かを判定する（Ｓ０３）。
低輝度待機を行わない表示モードとは、本実施形態では、静止画のスライドショー再生と、動画再生とである。
【００２７】
低輝度待機を行わない場合、後続のステップには進まない（Ｓ０３，Ｎ）。これらの静止画のスライドショーおよび動画再生の場合には、操作せずに見続けていることが前提の表示であるからである。静止画のスライドショー再生および動画再生は、それぞれ再生が終了した時点で低輝度待機を行う表示モードとして扱われ、後続のステップに進むことになる（Ｓ０３，Ｙ）。
【００２８】
ステップ０３において、表示モードが低輝度待機を行う種別であると判定されると（Ｓ０３，Ｙ）、表示モードの種別に対応した維持時間Ｔを設定するとともに（Ｓ０４）、表示部１４に表示モードに応じた画像の表示を行う（Ｓ０５）。
ステップ０５における表示開始に伴って、表示時間ｔの計測を開始する（Ｓ０６）。
計測時間ｔを維持時間Ｔと比較して計測時間ｔが維持時間Ｔを経過したか否かを判定する（Ｓ０７）。
【００２９】
ステップ０７において、計測時間ｔが維持時間Ｔを経過したと判定されると、バックライト１４Ｂの輝度の低下を開始し、低輝度待機状態とする（Ｓ０８）。バックライト１４Ｂの輝度の低下は、予め定められた減率（単位時間あたりの輝度低下量）で行う。
低輝度待機状態は、操作部１６に何らかの操作が行われると解除され（Ｓ０９）、ステップ０７に戻る。これによって計測時間ｔはリセットされる。
【００３０】
ここで、低輝度待機を行う表示モード、および、低輝度待機までの維持時間Ｔは、予め制御部２０において下記のごとく設定されている。
低輝度待機を行う表示モードは、前述した低輝度待機を行わない種別の表示モード以外の表示モードである。すなわち、設定情報表示（以下、表示モードＡと呼ぶ）、設定メニューおよび設定操作表示（表示モードＢ）、画像表示の内の静止画再生（表示モードＣ）の各モードである。
【００３１】
図４に示すように、Ａ〜Ｃの各表示モードにおける維持時間Ｔ（Ｔａ〜Ｔｃ）は、
Ｔａ＜Ｔｂ＜Ｔｃ
に設定されている。
【００３２】
すなわち、設定情報表示（表示モードＡ）では、当該電子カメラ１０の設定状態を確認できれば良いと考えられるため、ごく短い維持時間で低輝度待機となる。機能設定の操作が行われる設定メニューおよび設定操作表示（表示モードＢ）は、基本的には操作部１６の操作を伴うモードであるため、設定を考える時間を含めて中程度の維持時間で低輝度待機となる。画像表示の内の静止画再生（表示モードＣ）の場合は、撮影状態の確認等、操作せずに長時間眺めていることもあるため、低輝度待機まである程度長い維持時間に設定している。
【００３３】
図４に示す輝度変化は、表示モードＡ〜Ｃにおいて、低輝度待機に入るまでの維持時間Ｔ（Ｔａ〜Ｔｃ）のみが異なり、低輝度待機における輝度減率は一定に設定されている。
【００３４】
なお、図４では、画像再生の表示モードＣの輝度が、通常輝度および低輝度待機時共に、設定操作の表示モードＢの輝度より高く設定されている。また、設定操作の表示モードＢの輝度が、通常輝度および低輝度待機時共に、設定情報の表示モードＡの輝度より高く設定されている。画像再生の表示モードＣの輝度が高いのは、昼間に戸外で画像を確認する際にその視認性を向上させるためである。設定操作の表示モードＢの輝度が中程度であるのは、設定を考える際にある程度の視認製が必要であるためである。設定情報の表示モードＡの輝度が低いのは、設定情報の確認のみできればよいからである。
【００３５】
以上、本実施形態によると、表示モードの機能に応じた低輝度待機が可能となる。すなわち、動作モードごとに、合理的な待機時間の後、表示部の輝度を低下させることができ、作業性に不都合を感じることなく、不要な電力の消費を抑制し、バッテリーを長持ちさせることができる。これによって動作モードによって最適な制御が行なわれる表示装置を提供することができる。
【００３６】
（変形形態）
以上、説明した実施形態に限定されることなく、以下に示すような種々の変形や変更が可能であり、それらも本発明の範囲内である。
【００３７】
（１）上述の実施形態では、低輝度待機における輝度減率が一定である例について説明したがこれに限定されない。図５は本発明の変形形態を示した図である。図示するように、輝度変化は、表示モードＡ〜Ｃにおいて、低輝度待機に入るまでの維持時間Ｔ（Ｔａ〜Ｔｃ）が異なるとともに、さらに加えて、低輝度待機における輝度減率が変化するものであってもよい。これにより、より繊細な低輝度待機の設定が可能となる。なお、このように表示モードに応じて、低輝度待機における輝度減率を変化させるように構成する場合、維持時間Ｔ（Ｔａ〜Ｔｃ）は、表示モードＡ〜Ｃで同一としても良い。
【００３８】
（２）上述の実施形態では、図４に示すように、画像再生の表示モードＣの輝度が、通常輝度および低輝度待機時共に、設定操作の表示モードＢの輝度より高く設定されている。また、設定操作の表示モードＢの輝度が、通常輝度および低輝度待機時共に、設定情報の表示モードＡの輝度より高く設定されている。しかし、全体的な輝度の差は、この例に限らず、例えば通常輝度は表示モードＡ，Ｂ，Ｃは同じであってもよく、また低輝度待機時の画面の輝度も、表示モードＡ，Ｂ，Ｃが同じであってもよい。
い。
【００３９】
（３）上述の実施形態において維持時間Ｔ（Ｔａ〜Ｔｃ）および輝度減率は制御部２０に定められており、この値に基づいて低輝度待機制御を行う。しかし、これに限定されず、維持時間Ｔ（Ｔａ〜Ｔｃ）および輝度減率の設定は、使用者が好みに応じて自由に変更し得るように設定操作の表示画面より任意定項目としてもよい。使用者は操作部１６を介して任意に設定することができる。
【００４０】
（４）上記実施形態は、多数ある表示モードを、表示モードＡ〜Ｃの３種類に種別分けして異なる低輝度待機制御を行うものである。しかし、種別分けはこれに限るものではなく、種別分けを２種類としたり、より細分化して個々の表示モード全てに異なる設定とする等、適宜変更可能である。
【００４１】
（５）上記実施形態における各表示モードにおける維持時間および輝度減率の相対的な関係は、一例であって、例えば、異なる順序であってもよい。
【００４２】
（６）上記実施形態は、本発明を電子カメラに適用したものである。しかし、本発明は、電子カメラに限らず、表示部を備え撮影画像等を格納するフォトストレージビューワや、静止画像を順次表示するフォトフレーム等に適用しても良い。
【００４３】
なお、実施形態及び変形形態は、適宜組み合わせて用いることもできるが、詳細な説明は省略する。また、本発明は以上説明した実施形態によって限定されることはない。
【符号の説明】
【００４４】
１０：電子カメラ、１４，表示部、１６：操作部、２０：制御部
【図１】
2010263355.tif 000003
【図２】
2010263355.tif 000004
【図３】
2010263355.tif 000005
【図４】
2010263355.tif 000006
【図５】
2010263355.tif 000007